(57)【要約】      （修正有）【課題】建物の笠木に高い止水性と通気性を備えさせることもできる通し笠木下地部材を有する笠木構造を提供する。【解決手段】並んだ壁の頂部を塞ぐ笠木構造２を、笠木１０と、一対の通し笠木下地部材と、一対の通し笠木下地部材４０を繋ぐ笠木下地連結部材３０とから構成した。各々の通し笠木下地部材が、水平部１１と垂下部１２とからなり、各々の壁に沿って長く延びると共に、各々の水平部が、通気孔を有さないと共に、長手方向全長に亘って突出された第１立設片４２を有するようにした。これにより、笠木の内部と外部とが通じる部分を限定させ、通し笠木下地部材の水平部と垂下部と、壁とがなす隙間に樹脂シール剤を注入しなくても、笠木内部に水が浸入しにくい。笠木の水平部の上に雨水が浸入された場合であっても、第１立設片により堰き止められ、屋内側に浸入されることはない。【選択図】図２
2020056210.tif 000002
【特許請求の範囲】
【請求項１】
並んだ壁の頂部を塞ぐ笠木構造であって、
笠木水平部と、前記笠木水平部の両端から垂下される垂設部とを有する笠木と、一対の通し笠木下地部材と、前記一対の通し笠木下地部材を繋ぐ笠木下地連結部材とからなり、
前記笠木の各々の垂設部の内面には、全長に亘って爪部が備えられ、
前記笠木下地連結部材は、並んだ壁に亘るように配設され、少なくともいずれかの壁の頂部に固定され、
各々の前記通し笠木下地部材が、水平部と垂下部とからなり、各々の壁に沿って長く延び、前記笠木下地連結部材を挟んで配列され、前記水平部の内方側端部が前記笠木下地連結部材に当接されて、いずれかの壁の頂部に固定され、
各々の水平部が、通気孔を有さないと共に、長手方向全長に亘って突出された第１立設片を有し、
各々の前記爪部が、前記垂下部に引っ掛けられ、前記通し笠木下地部材に前記笠木が固定された状態で、前記爪部と前記垂下部との隙間から浸入した水が、第１立設片から内方に浸入しないようにされている、
ことを特徴とする笠木構造。
【請求項２】
前記通し笠木下地部材の垂下部が、前記笠木の前記垂設部との間に隙間を有し、
前記垂下部が前記隙間に対向し、前記隙間に通気させる通気孔を有している、
ことを特徴とする請求項１に記載の笠木構造。
【請求項３】
各々の前記通し笠木下地部材の水平部が、第１立設片よりも外方に、長手方向全長に亘って延びる第２立設片を有し、
第１の立設片と第２立設片との間が溝部とされ、前記笠木の内部に水が浸入した場合であっても、前記通し笠木下地部材の長手方向の端部まで、浸入した水を前記溝部に沿って案内させて排水させる、
ことを特徴とする請求項１又は請求項２に記載の笠木構造。
【請求項４】
前記笠木構造は、笠木と笠木を突き合わせた突合せ隙間の下方を塞ぐジョイント具を含み、
前記ジョイント具の天面には、笠木を横断する方向に延びる複数の溝が備えられ、
前記突合せ隙間の下方には、前記突合せ隙間との空間に止水剤が充填される第１溝が配され、
第１溝を挟んだ両側には、第１溝から浸入した水を排水させる第２溝が配され、
第２溝の外側方には、笠木の下面と溝との間に止水材を嵌め込む第３溝が配されている、
ことを特徴とする請求項１乃至請求項３のいずれか一項に記載の笠木構造。
【請求項５】
前記笠木構造は、第１立設片に被せる高さ調整部材を含み、
前記高さ調整部材が第１立設片に被せられて、前記笠木の下面と第１立設片の天部との距離を適合させている、
ことを特徴とする請求項１乃至請求項４のいずれか一項に記載の笠木構造。
【請求項６】
前記笠木構造は、長く延びる板材からなる垂下片を含み、
前記垂下部に沿って、前記垂下部の内面に垂下片が着装され、
壁面に沿う噴き上がり水の浸入を抑制させている、
ことを特徴とする請求項１乃至請求項５のいずれか一項に記載の笠木構造。
【請求項７】
前記垂下部が、内方に向けて突出されると共に長手方向に沿って延びる突出片を有している、
ことを特徴とする請求項１乃至請求項６のいずれか一項に記載の笠木構造。
【請求項８】
前記突出片に、壁面を照射する発光体が装着されている、
ことを特徴とする請求項７に記載の笠木構造。
【発明の詳細な説明】
【技術分野】
【０００１】
本発明は、並んだ２枚の壁の頂部を塞ぐ笠木構造に関する。より詳細には、高い止水性を備えた笠木とすることができると共に、通気性のある笠木とすることもできる通し笠木下地部材を有する笠木構造に関する。また、笠木と笠木の突合せ部からも水が浸入されにくいと共に、仮に突合せ部に水が浸入しても確実に排水させることができるジョイント具を有する笠木構造に関する。
【背景技術】
【０００２】
従来の笠木構造は、長く延びる笠木水平部と、その長辺両端部から垂下される垂設部からなる笠木と、笠木を引っ掛ける短尺矩形の笠木装着金物とを備えている。笠木装着金物は、２枚の壁に亘るように、その略中央部がいずれかの壁の頂部に固定される。そして笠木装着金物の壁側の両端部に、笠木の垂設部の内面に備えられた爪部が引っ掛けられて、長く延びる笠木が壁の頂部に固定される。
【０００３】
詳細には、まず、長く薄い金属板をコ字形状に曲げた板金部材の凹部が、２枚の壁の頂部に被されて、２枚の壁の頂部の隙間が塞がれる。そして、笠木装着金物が、コ字形状の板金部材の上に所定間隔で固定される。次に、笠木が笠木装着金物の上方から被せられ、笠木装着金物の壁際の両端部に、笠木の垂設部の爪部が引っ掛けられ、笠木が固定される。更に、壁又は板金部材と、笠木垂下部との隙間に樹脂シール剤が注入され、笠木と建物との隙間が止水されている。
【０００４】
従来の笠木構造は、笠木装着金物の幅が狭いため、笠木の全長に亘って形成されている垂設部の爪部の一部が、笠木装着金物に引っ掛けられているにすぎず、笠木装着金物と接していない笠木の大部分と、前記コ字形状の板金部材との間には隙間が空いていた。この隙間から、笠木内部に水が浸入しないように、前記コ字形状の板金部材又は壁と、笠木の垂下部との隙間が樹脂シール剤だけにより止水されていた。しかし、前記隙間を完全に止水することは困難であった。
【０００５】
しかも、隙間に注入された樹脂シール剤は、外気温の変化や紫外線の照射等により経年変化しやすく、ひび割れや接着切れを発生させやすいという弱点があった。こうしたひび割れまたは接着切れ等が発生した箇所に、台風時等の強風により吹き上げられた雨水が吹き込んで、笠木の内部に雨水が浸入し、建物内に漏水を発生させていた。そして、笠木の内部に浸入した水は、薄い板金部材と壁材との隙間を伝って漏水し、建物内に湿気によるかび・腐食を発生させる原因ともなっていた。
【０００６】
そこで、樹脂シール剤が劣化しても、笠木の内部に水を浸入させず、かび等が発生しないように、通気性だけでなく、高い止水性を備えさせることができる笠木構造が求められていた。また、笠木と壁との隙間だけでなく、笠木と笠木の突合せ部分からも水が浸入しにくく、仮に突合せ部から水が浸入しても、屋外に排水させることができるジョイント具を備えた笠木構造が求められていた。
【０００７】
特許文献１には、換気構造を有すると共に、笠木の内部に雨水が浸入することを防止させる止水笠木構造の技術が開示されている。特許文献１に記載の技術によれば、２枚の壁の頂部を塞ぐように、薄板からなる通し笠木固定下地が固定され、通し笠木固定下地には、水平に多数の通気孔が形成されていると共に、強風時には通気孔を塞ぐ開閉弁が、通気孔の下方に軸動可能に形成されている。
【０００８】
特許文献２の実施例４、図１０から図１２に記載の技術には、通し笠木固定下地の外部側には建物外に通じる複数の通気孔が、通し笠木固定下地の内部側には建物内に通じる複数の通気孔が、夫々１列ずつ形成され、建物内外の通気性が確保されている。しかし、強風時には、通気孔の開閉弁が強風に煽られて振動し、通気孔から雨水が浸入することを止めることができないという課題があった。
【０００９】
そして、通し笠木固定下地の天面に浸入した雨水は、外部に流出されにくく、通し笠木固定下地の上に留まりやすかった。溜まった雨水は、小さな段部程度は乗り越え、建物内に通じる通気孔から、建物内に漏水されやすかった。また、経年劣化や砂埃の蓄積等によって開閉弁が動きにくくなり、開放された状態のままとなった場合には、強風により壁伝いに噴き上がった雨水が、２枚の壁に挟まれた通気空間に浸入されやすいという課題があった。
【００１０】
特許文献２には、建物の屋上やベランダの外壁として用いられるパラペット部における換気構造の技術が開示されている。特許文献２に記載の技術によれば、並んだ柱体、間柱を挟んだ二枚の外壁のうち、屋外側にある外壁の上部をあけて、パラペットの側面に通気用の開放部を形成させている。この開放部に、建物内外を通気させる通気経路を有する換気本体を装着させている。この通気経路は、上方からの垂下片で、通気経路をＵ字形状に折れ曲るように形成させ、通気孔から直線的に雨水が浸入しないようにさせている。
【００１１】
しかし、特許文献２に記載の技術によれば、笠木の垂下部端部が、換気本体の側面の上部に接しているにすぎず、換気本体の通気孔が直接外気に面しているため、強風により雨水が笠木の中に、直接的に吹き込みやすいという課題があった。
【００１２】
前記のように、換気笠木とされている特許文献１又は特許文献２によっても、強風時に笠木の中に吹き込んだ雨水は、笠木の中から外部には排出されにくく、そのため屋内側に漏水を発生させやすいという課題もあった。
【先行技術文献】
【特許文献】
【００１３】
特許文献１：特開２００３−２０６６０６号公報
特許文献２：特開２０１２−１０２４８６号公報
【発明の概要】
【発明が解決しようとする課題】
【００１４】
本発明は、建物の笠木に高い止水性を備えさせることも、通気性を備えさせることもできる通し笠木下地部材を有する笠木構造を提供することを課題とした。また、笠木と笠木の突合せ部からも水が浸入しにくく、仮に突合せ部に水が浸入しても建物の外に排水させることができる笠木構造、更に、笠木の幅・見付高さ等の形態に差異があっても、通し笠木下地部材を使用することができる笠木構造を提供することを課題とした。
【課題を解決するための手段】
【００１５】
本発明の第１の発明の笠木構造は、並んだ壁の頂部を塞ぐ笠木構造であって、笠木水平部と、前記笠木水平部の両端から垂下される垂設部とを有する笠木と、一対の通し笠木下地部材と、前記一対の通し笠木下地部材を繋ぐ笠木下地連結部材とからなり、前記笠木の各々の垂設部の内面には、全長に亘って爪部が備えられ、前記笠木下地連結部材は、並んだ壁に亘るように配設され、少なくともいずれかの壁の頂部に固定され、各々の前記通し笠木下地部材が、水平部と垂下部とからなり、各々の壁に沿って長く延び、前記笠木下地連結部材を挟んで配列され、前記水平部の内方側端部が前記笠木下地連結部材に当接されて、いずれかの壁の頂部に固定され、各々の水平部が、通気孔を有さないと共に、長手方向全長に亘って突出された第１立設片を有し、各々の前記爪部が、前記垂下部に引っ掛けられ、前記通し笠木下地部材に前記笠木が固定された状態で、前記爪部と前記垂下部との隙間から浸入した水が、第１立設片から内方に浸入しないようにされていることを特徴としている。
【００１６】
通し笠木下地部材が各々の壁に沿って長く延びていることにより、笠木を固定させた状態で、笠木の爪部と、通し笠木下地部材の垂下部とを連続して接しさせている。すなわち、笠木と通し笠木下地部材とを接しさせ、通し笠木下地部材と壁の頂部とを接しさせて、笠木の内部と外部とが通じる部分を限定させている。これにより、通し笠木下地部材の水平部と垂下部と、壁とがなす隙間に樹脂シール剤を注入しなくても、笠木内部に水が浸入しにくいという従来にない有利な効果を奏する。
【００１７】
通し笠木下地部材および笠木下地連結部材は金属部材が好適であるが限定されない。通し笠木下地部材の水平部が通気孔を有さないと共に、長手方向全長に亘って突出された第１立設片を有している。これにより、強風により吹き上げられて壁面に沿って上がった水が、笠木内外の気圧差により、笠木と通し笠木下地部材との接面から滲むように、笠木の水平部の上に浸入しても、第１立設片により堰き止められ、屋内側に浸入されることはないという有利な効果を奏する。
【００１８】
一対の通し笠木下地部材が、笠木下地連結部材により繋がれていることにより、通し笠木下地部材が同一でも、笠木下地連結部材のみを長さが異なる部材に交換させることにより、内法の異なる笠木にも、同一の通し笠木下地部材を適用することができ、通し笠木下地部材を汎用性が高い笠木構成部品とすることができる。これにより、二枚の壁の外寸が異なる場合であっても、共通した通し笠木下地部材を使用することができ、壁の外寸毎に応じた通し笠木下地部材を製造しなくてもよい。
【００１９】
本発明の第１の発明によれば、笠木の内部と外部とが通じる部分を限定させ、通し笠木下地部材の水平部と垂下部と、壁とがなす隙間に樹脂シール剤を注入しなくても、笠木内部に水が浸入しにくいという従来にない有利な効果を奏する。また、笠木内外の気圧差により、笠木と通し笠木下地部材との接面から滲むように、笠木の水平部の上に雨水が浸入しても、第１立設片により堰き止められ、屋内側に浸入されることはないという有利な効果を奏する。
【００２０】
本発明の第２の発明は、第１の発明の笠木構造であって、前記通し笠木下地部材の垂下部が、前記笠木の前記垂設部との間に隙間を有し、前記垂下部が前記隙間に対向し、前記隙間に通気させる通気孔を有していることを特徴としている。
【００２１】
笠木を通気性がある通気笠木とさせる場合には、通し笠木下地部材の垂下部に、笠木の内面に向けて通気孔を備えさせ、通し笠木下地部材の水平部と垂下部と、壁とがなす隙間に樹脂シール剤を注入しないようにしておけばよい。そうすると垂下部に形成されている通気孔から笠木の内面に向けて、建物外の空気が通気される。
【００２２】
通気された空気に水滴が含まれていても、空気は笠木の垂設部の内面に向けて流入されるため、水滴は垂設部に付着し、垂設部と垂下部の間に沿って下方に垂れ、笠木の水平部の上には上りにくい。仮に、建物内外の気圧差により笠木の水平部の上に雨水が上ったとしても、第１立設片に堰き止められるため、通し笠木下地部材の内方に雨水が浸入することはない。
【００２３】
第２の発明によれば、笠木を通気性がある通気笠木とさせても、建物内に雨水が流入しにくいという有利な効果を奏する。なお、前記隙間の高さを高くすれば、吹き上がりによっても雨水が浸入しにくく、更に好適である。
【００２４】
本発明の第３の発明は、第１又は第２の発明の笠木構造であって、各々の前記通し笠木下地部材の水平部が、第１立設片よりも外方に、長手方向全長に亘って延びる第２立設片を有し、第１の立設片と第２立設片との間が溝部とされ、前記笠木の内部に水が浸入した場合であっても、前記通し笠木下地部材の長手方向の端部まで、浸入した水を前記溝部に沿って案内させて排水させることを特徴としている。
【００２５】
第３の発明によれば、第１立設片と第２立設片との間が排水溝として機能される。気圧差により通気孔から空気とともに侵入した水滴が、垂設部にあたって飛沫となって笠木水平部の下面に付着して滴っても、第１立設片と第２立設片との間の排水溝により笠木の長手方向に滴った水を案内して排水させるため、建物内に水を浸入させにくい。
【００２６】
本発明の第４の発明は、第１から第３の発明の笠木構造であって、笠木と笠木を突き合わせた突合せ隙間の下方を塞ぐジョイント具を含み、前記ジョイント具の天面には、笠木を横断する方向に延びる複数の溝が備えられ、前記突合せ隙間の下方には、前記突合せ隙間との空間に止水剤が充填される第１溝が配され、第１溝を挟んだ両側には、第１溝から浸入した水を排水させる第２溝が配され、第２溝の外側方には、笠木の下面と溝との間に止水材を嵌め込む第３溝が配されていることを特徴としている。
【００２７】
複数の溝は、少なくとも５本並んで配設され、中央の溝が第１溝とされ、笠木の突き合わせ隙間の下方に配される。突き合わせ隙間と第１溝には樹脂シール剤等の止水剤が充填される。しかし、笠木の板厚が約２ｍｍなので、樹脂シール剤の厚さも限られ、樹脂シール剤を長期間良好に付着させておくことは困難である。そこで第１溝の両側に、第１溝から浸入した水を排水させる第２溝を配設させている。また、第２溝の外側方には、止水材を嵌め込む第３溝を配設させ止水材を嵌め込んで、笠木の下面と溝との隙間を塞いでいる。
【００２８】
第４の発明によれば、第１溝の止水剤が劣化し、第１溝と笠木下面との隙間から水が浸入するようになった場合でも、第２溝が水を受けて排水させると共に、第３溝に嵌合された止水材が止水壁をなすため、二枚の壁の間にある通気空間には水が浸入されないという効果を奏する。
【００２９】
本発明の第５の発明は、第１から第４の発明の笠木構造であって、第１立設片に被せる高さ調整部材を含み、前記高さ調整部材が第１立設片に被せられて、前記笠木の下面と第１立設片の天部との距離を適合させていることを特徴としている。
【００３０】
第５の発明によれば、笠木のデザイン、製造者等が異なることにより、笠木下面から壁天面までの高さが異なる場合であっても、高さ調整部材が第１立設片に被せられて、笠木の下面と第１立設片の天部との距離を適合させているため、笠木下地通し金物を複数の形態の笠木に共用することができ、汎用性が高い笠木部材とすることができる。
【００３１】
本発明の第６の発明は、第１から第５の発明の笠木構造であって、長く延びる板材からなる垂下片を含み、前記垂下部に沿って、前記垂下部の内面に垂下片が着装され、壁面に沿う噴き上がり水の浸入を抑制させていることを特徴としている。第６の発明によれば、垂下部に沿って、垂下部の内面に垂下片が着装されているため、壁と通し笠木下地金物の垂下部とがなす隙間が高くなり、強風による吹き上がりがあっても、笠木への水の浸入を抑制しやすく、止水性と通気性を両立させた笠木構造とすることができる。
【００３２】
本発明の第７の発明は、第１から第６の発明の笠木構造であって、通し笠木下地部材の垂下部が、内方に向けて突出されると共に長手方向に沿って延びる突出片を有していることを特徴としている。第７の発明によれば、樹脂シール剤が３面接着とならないように、突出片に接着防止処理をしておくことにより、良好な形状の止水シールとすることが容易である。接着防止処理は、接着防止テープを貼付する、接着防止塗装をする、バックアップ材を密着させる等すればよい。
【００３３】
第８の発明は、第７の発明の笠木構造であって、前記突出片に、壁面を照射する発光体が装着されていることを特徴としている。第８の発明によれば、建物の笠木沿いに容易に発光体が装着できるため、夜間に建物の形状を浮かび上がらせるような装飾を容易にすることができる。
【発明の効果】
【００３４】
・本発明の第１の発明によれば、笠木の内部と外部とが通じる部分を限定させ、通し笠木下地部材の水平部と垂下部と、壁とがなす隙間に樹脂シール剤を注入しなくても、笠木内部に水が浸入しにくいという従来にない有利な効果を奏する。また、笠木内外の気圧差により、笠木と通し笠木下地部材との接面から滲むように、笠木の水平部の上に浸入した雨水も、第１立設片により堰き止められ、屋内側に浸入されることはないという有利な効果を奏する。
【００３５】
・第２の発明によれば、笠木を通気性がある通気笠木とさせても、建物内に雨水が流入しにくいという有利な効果を奏する。
・第３の発明によれば、第１立設片と第２立設片との間が排水溝として機能し、排水溝により笠木の長手方向に滴った水を案内して排水させるため、建物内に水を浸入させにくい。
・第４の発明によれば、第１溝の止水剤が劣化し、第１溝と笠木下面との隙間から水が浸入するようになった場合でも、第２溝が水を受けて排水させると共に、第３溝に嵌合された止水材が止水壁をなすため、二枚の壁の間にある通気空間には水が浸入されないという効果を奏する。
【００３６】
・第５の発明によれば、笠木下地通し金物を複数の形態の笠木に共用することができ、汎用性が高い笠木部材とすることができる。
・第６の発明によれば、壁と笠木の垂下部とがなす隙間が高くなり、強風による吹き上がりがあっても、笠木への水の浸入を抑制しやすく、止水性と通気性を両立させた笠木構造とすることができる。
・第７の発明によれば、樹脂シール剤が３面接着とならないように、突出片に接着防止処理をしておくことにより、良好な形状の止水シールとすることが容易である。
・第８の発明によれば、建物の笠木沿いに容易に発光体が装着できるため、夜間に建物の形状を浮かび上がらせるような装飾を容易にすることができる。
【図面の簡単な説明】
【００３７】
【図１】笠木構造の断面図（実施例１）。
【図２】笠木構造の断面図及び斜視図（実施例２）。
【図３】笠木構造の組立工程を説明する斜視図（実施例２）。
【図４】形態が異なる笠木に適用された笠木構造の断面図（実施例３）。
【図５】通気性がある笠木構造の断面図（実施例４）。
【図６】屋内側にのみ通気性がある笠木構造の断面図（実施例５）。
【図７】通し笠木下地部材に突出片を備えさせた笠木構造の断面図（実施例６）。
【発明を実施するための形態】
【００３８】
並んだ壁の頂部を塞ぐ笠木構造において、笠木と通し笠木下地部材とを連続して接しさせると共に、通し笠木下地部材と壁の頂部とを連続して接しさせて、笠木の内部と外部とが通じる部分を限定させるようにした。更に、通し笠木下地部材の水平部に、通気孔を有さないと共に、長手方向全長に亘って突出された第１立設片を備えさせるようにした。
【実施例１】
【００３９】
実施例１では、第１立設片を備えた通し笠木下地部材を含む笠木構造１を、図１を参照して説明する。図１は、建物の最上階のパラペット部１００における笠木構造１の断面図を示している。実施例１では、立設片として一つの立設片だけを備え、通気孔を有していない笠木構造を説明し、実施例２において二つの立設片を備えた笠木構造を説明する。
【００４０】
実施例１では、図上左側が鉄筋コンクリート建物の屋上床１０１とされ、図上左側の壁はパラペット壁１０２であり、右側は外壁１０３とされている。図上右側に配置される既成コンクリート版の外壁１０３が、山形鋼１０４を連結部材として、ボルト１０５により連結され固定されている。屋上床からパラペット壁１０２の頂部までは、複数枚の防水シート１０６が重ねられて、屋上の防水処理がされている。防水処理がされたパラペット壁１０２の頂部の位置と、外壁１０３の頂部の位置は、ほぼ同じ高さに揃えられている。また、パラペット壁と外壁との間には、通気空間をなす隙間１０７があけられている。
【００４１】
笠木構造１は、並んだ壁の頂部を覆う笠木１０と、笠木を引っ掛けて固定させる一対の通し笠木下地部材２０と、一対の通し笠木下地部材を繋ぐ笠木下地連結部材３０とからなっている。笠木１０は、一対の通し笠木下地部材２０を介して、パラペット壁１０２の頂部と外壁１０３の頂部に固定される。
【００４２】
笠木１０は、パラペット壁１０２と外壁１０３の頂部を覆う笠木水平部１１と、笠木水平部の長手方向の両端部から垂下される垂設部１２，１２とを有している。笠木は、例えば長さが約３ｍ、幅が約４５ｃｍ、板厚が約２ｍｍのアルミ製の薄板とされればよい。通し笠木下地部材２０は、長手方向の長さが、笠木の長さよりジョイント具５０（図３参照）の長さだけ短く、幅が約１０〜１５ｃｍ、板厚が約２ｍｍのアルミ製の薄板とされればよい。笠木水平部１１は、雨水により外壁を汚損させないように、屋上側に傾斜され、笠木天面への雨水は屋上に排水される。笠木の両端部から垂設される垂設部１２，１２は、その内面に、長手方向全長に亘って、一対の通し笠木下地部材２０に引っ掛けて、笠木を固定させる爪部１３，１３を有している。
【００４３】
笠木下地連結部材３０は、パラペット壁と外壁との間の隙間１０７を跨ぐように、壁に交差する方向の長さが約２０ｃｍの長さ、幅が１５ｃｍ、板厚が約９ｍｍとされればよい。笠木１０、通し笠木下地部材２０、笠木下地連結部材３０はいずれも、金型により押し出されて、定尺に切断されて形成されればよい。なお、形状・板厚・材質等が限定されないのは勿論のことである。
【００４４】
一対の通し笠木下地部材２０，２０は、各々の壁の頂部に固定される。各々の通し笠木下地部材は水平部２１と垂下部２２とからなり、パラペット壁１０２と外壁１０３に沿って長く延びる状態で、夫々ほぼ左右対称となるように、笠木下地連結部材３０を挟んで両側に配設されている。通し笠木下地部材の垂下部２２の鉛直方向の長さは、通し笠木下地部材２０に笠木１０が固定された状態で、垂下部２２の先端と笠木の爪部１３の内側との接面２３に、隙間ができないように、笠木の垂設部１２の長さに適合する長さとされている。なお、笠木の垂設部１２と、通し笠木下地部材の垂下部２２とを、適宜のピッチでビスにより固定させておけば、強風等によっても笠木が捲れあがるようにして脱落することがないことは勿論のことである。
【００４５】
また、実施例１の通し笠木下地部材の垂下部２２には通気孔が形成されておらず、高い止水性が求められるパラペット部に適用される笠木構造とされている。各々の通し笠木下地部材の垂下部２２と、各々の壁１０２，１０３の外側垂直面との隙間１０８には、壁に沿って長く延びるバックアップ材２００が嵌め込まれ、水が浸入しないように樹脂剤２１０により止水処理がされている。
【００４６】
実施例１の各々の通し笠木下地部材２０は、水平部２１にも通気孔を有さないと共に、通し笠木下地部材の長手方向全長に亘って、上方に突出された第１立設片２４を有している。また、水平部にはビス孔２５（図３参照）が備えられ、ビス２６により通し笠木下地部材２０が壁の頂部に固定される。第１立設片２４は、通し笠木下地部材の水平部２１の屋内側に設けられている。
【００４７】
仮に、笠木内外の気圧差により、笠木１０と通し笠木下地部材２０との接面２３の僅かな隙間から滲むようにして、笠木の水平部２１の上まで水３００が浸入したとしても、第１立設片２４により堰き止められ、第１立設片より内側には水が浸入されることがない。
【００４８】
通し笠木下地部材２０の底面と各々の壁１０２，１０３の頂部との隙間に、止水材２２０により止水処理をしておくと、止水性がより高くなる。止水材２２０は、壁の頂部の僅かな凹凸に追従して変形可能な公知の水膨張ゴム等とされると、通し笠木下地部材２０と各々の壁１０２，１０３の頂部との間に隙間ができず、好適である。
【００４９】
笠木下地連結部材３０は、並んだ壁に跨る平坦な基部３１と、前記基部から起立された一対の起立部３２，３２と、通し笠木下地部材の端面を上下に挟んで保持させる保持片３３とを有している。笠木下地連結部材３０は、定尺の一つの笠木１０について、両端部と中央部の計３ヵ所に、約１．５ｍ間隔に配置される。笠木下地連結部材３０の長さ・幅・板厚・固定間隔等は、笠木と通し笠木下地部材に応じて決定されればよく、限定されない。
【００５０】
基部３１の中央部には、笠木下地連結部材３０を壁の頂部に固定させるためのビス孔３４が備えられている（実施例２の図３参照）。前記中央部を挟んだ両側には、いずれかの壁の頂部に、通し笠木下地部材２０と一体にビス固定させるためのビス孔３５が備えられている。起立部３２は、上端が側方に屈曲されると共に、上面に弾性部材３６が貼着されている。各々の起立部３２の高さは、前記弾性部材３６を笠木１０の下面に接しさせた状態で、笠木と通し笠木下地部材との接面２３に、隙間が空かない高さとされればよい。
【００５１】
保持片３３は、基部３１に平行に突出され、保持片３３と基部３１との間の隙間に、通し笠木下地部材の水平部の内方側端部２７を挿し込ませて当接させる。前記内方側端部２７を、基部３１の天面から浮き上がらないようにさせた状態で、笠木下地連結部材３０と通し笠木下地部材２０とが、ビス２６により一体に、壁の頂部に固定される（実施例２の図２（Ｂ）図参照）。
【実施例２】
【００５２】
実施例２では、第１立設片と第２立設片とを有する通し笠木下地部材４０と、笠木１０と笠木１０を突き合わせた突合せ隙間の下方を塞ぐジョイント具５０とを含んだ笠木構造２を、図２及び図３を参照して説明する。図２は、笠木構造２の説明図を示している。図２（Ａ）図は、図２（Ｂ）図のＡ−Ａ位置の断面図を示し、図２（Ｂ）図は笠木と笠木との突合せ部の斜視図を示している。
【００５３】
図３は、笠木構造２の組立図を示している。図２（Ｂ）図及び図３では、理解を容易にするため、図上手前側の笠木を省略し、ジョイント具５０に装着された止水材を着色して示している。また、実施例２以下では、実施例１で説明した笠木構造と同一の構成については同一の符号を付して説明を省略する。
【００５４】
通し笠木下地部材４０は、水平部４１に第１立設片４２と第２立設片４３とを有し、各々の立設片の間が溝部４４とされている。第２立設片４３は、第１立設片４２よりも外方に配されると共に、通し笠木下地部材４０の長手方向全長に亘って延びている（図２（Ｂ）図参照）。第２立設片４２の高さは、溝部４４に沿って案内される水３００が第１立設片４２を越えないように、第１立設片の高さよりも低くされている。また、垂下部４５に建物内部と笠木外部とを通気させる通気孔４６を有している。
【００５５】
気圧差により通気孔４６から空気と共に侵入した水３０１が、笠木の垂設部１２の内面にあたって飛沫となって笠木水平部１１の下面に付着して滴った場合は、第２立設片４３又は第１立設片４２のいずれかにより堰き止められ、第１立設片４２よりも内方に水が浸入されることがない。第２立設片４３により堰き止められた水は、垂下部４５の外面を垂れるように排出される。第１立設片４２により堰き止められた水３００は、第１立設片と第２立設片の間の溝部４４に沿って、通し笠木下地部材４０の長手方向端部４７（図２（Ｂ）図参照）まで案内される。第１立設片４２と第２立設片４３が備えられていることにより、通し下地部材の剛性が高くされ、笠木構造の強度が向上していることは勿論のことである。
【００５６】
第２立設片４３は、通し笠木下地部材の長手方向端部４７よりも手前の位置に、溝部４４から水を排水させる切欠き部４８を備えている。溝部４４の長手方向の両端部には止水材４９が嵌着され、溝４４に沿って案内された水３００が溝部端部から排水されないように堰き止めさせている。そして、通し笠木下地部材４０の長手方向端部４７まで案内された水は、前記切欠き部４８から垂下部４５の外面に垂れ、笠木の爪部１３と垂下部４５との接面２３（図２（Ａ）図参照）から滲み出すようにして、笠木１０の外部に排水される。
【００５７】
これにより、笠木と笠木の突合せ隙間の下方に配されたジョイント具５０までは水が到達されず、ジョイント具の下方の空隙５６（図２（Ｂ）図参照）から、パラペット壁と外壁との間の隙間１０７（図２（Ａ）図参照）に水が浸入することがない。通し笠木下地部材２０を固定させるビス２６が、溝部４４を外すように、第１立設壁４２よりも内方に配されることにより、ビス孔２５（図３参照）からも水を浸入させることもない。また、通気孔４６と切欠き部４８の位置がずらされていることにより、垂下部４５の外面を伝った水が、通気孔４６に浸入することもない。
【００５８】
次に、笠木と笠木とを突き合わせた突合せ隙間を塞ぐジョイント具５０とを説明する。金属製の笠木は、夏場の高温時に金属が熱膨張されることを踏まえて、隣り合う笠木の長手方向端部を突合せた部分に約６ｍｍの突合せ隙間があけられている。水が突合せ隙間から笠木の内部に浸入されないように、排水用のジョイント具５０が突合せ隙間の下方に配されている（図２（Ｂ）図参照）。ジョイント具５０は、笠木１０の内面に沿うように、笠木を横断する方向に延びると共に略コの字形状に折り曲げられている（図３参照）。ジョイント具５０の両端部は、各々の壁１０２，１０３よりも外方に突き出されると共に、下方に屈曲された屈曲部５１を有し、屈曲部の下端面が笠木の爪部１３に当接される（図２（Ｂ）図参照）。
【００５９】
ジョイント具５０の天面には、笠木１０を横断する方向に延びる５本の溝が備えられている（図２（Ｂ）図及び図３参照）。５本の溝のうち、中央の溝が、突合せ隙間の空間と共に止水剤が充填される第１溝５２とされる。第１溝５２を挟んだ両側の溝が、第１溝から浸入した水を排水させる第２溝５３，５３とされる。第２溝の外側方の溝が、笠木１０の下面とジョイント具５０との隙間を塞ぐ止水材５５が嵌め込まれる第３溝５４とされる。
【００６０】
ジョイント具５０は、両側から笠木下地連結部材３０，３０を当接させることにより、第１溝５２の位置が、笠木の突合せ隙間の下方からずれないようにされている（図２（Ｂ）図，図３参照）。第２溝５３は、第１溝を越えて浸入される水の排水溝とされるため、止水剤等は充填されない。第３溝５４は、水膨張ゴム等の止水材５５が嵌め込まれることにより、第２溝から水が溢れないように堰き止める止水壁とされる。これにより、第１溝５２と笠木の突合せ隙間とに充填された樹脂剤が劣化されても、建物内には水が浸入されることがない。
【００６１】
次に図３を参照して、笠木構造２の組立工程を簡単に説明する。まず、各々の壁１０２，１０３の頂部に、壁に沿って長く延びる止水材２２０，２２０が貼着される。次に、笠木下地連結部材３０が所定の位置にビス３７により固定される。具体的には、笠木１０の長手方向の中央部には、一つの笠木下地連結部材が固定される。笠木の突合せ部については、二つの笠木下地連結部材３０，３０を、ジョイント具５０の両側に当接させた状態で、壁の頂部に固定させる。ジョイント具５０は、両側に笠木下地連結部材が当接されて位置固定されているため、ビス止めは不要とされる。
【００６２】
そして、一対の通し笠木下地部材４０の内方側端部２７を、各々の笠木下地連結部材３０に当接させるように、各々の通し笠木下地部材４０，４０を側方から挿し込み、ビス２６により一体に壁の頂部に固定させる。この状態で、通し笠木下地部材２０の長手方向の側端部が、ジョイント具５０の屈曲部５１の両側に当接されている（図２（Ｂ）図参照）。次に、笠木１０が上方から被せられ、笠木下地連結部材の起立部３２に備えられた弾性部材３６が笠木１０の下面に当接されると共に、笠木の爪部１３が通し笠木下地部材の垂下部４５の下端面に引っ掛けられ、笠木１０が固定される。最後に、バックアップ材２００と樹脂剤２１０により止水処理がされ（図２（Ｂ）図参照）、笠木構造の組立がされる。
【実施例３】
【００６３】
実施例３では、一対の通し笠木下地部材４０を共用させても、見付高さが異なる笠木を装着させることができる笠木構造３と、幅が異なる笠木を装着させることができる笠木構造４を、図４を参照して説明する。図４（Ａ）図は、高さ調整部材を含む笠木構造３の断面図を示し、図４（Ｂ）図は、笠木の内法が異なる場合に適用される笠木構造４の断面図を示している。
【００６４】
笠木構造３に装着される笠木１４は、実施例１，２で示した笠木と比べて、見付高さが高くされている。高さ調整部材６０は、断面が略コ字形状をなし、下方部から上方部にかけて第１立設片４２が挿し込まれるスリット６１を有し、上端部に笠木の下面に当接される弾性部材６２が備えられる。高さ調整部材６０が第１立設片４２に装着されることにより、笠木１４の下面と第１立設片４２の頂部との距離が適合され、笠木の爪部１３と、通し笠木下地部材の垂下部４５とが連続して当接されるようになる。
【００６５】
これにより、通し笠木下地部材４０と笠木下地連結部材３０とを変更させなくても、見付高さが高い笠木１４を装着させることができる。なお、高さ調整部材６０が、笠木の下面と当接されるため、実施例２で示した笠木構造２と異なり、笠木下地連結部材の起立部３２は笠木下面に当接されない。
【００６６】
笠木構造４に装着される笠木１５は、実施例１，２で示した笠木と比べて、内法が長くされている。この場合には、通し笠木下地部材４０が共通して使用され、笠木下地連結部材３８のみを長い部材に交換させている。これにより、並んだ壁１０２，１０３の外寸に応じて、内法の異なる笠木１５が使用される場合であっても、同一の通し笠木下地部材４０を共通して使用させることができる。
【実施例４】
【００６７】
実施例４では、通気性のある通気笠木とさせた笠木構造５及び笠木構造６を、図５を参照して説明する。図５（Ａ）図は、笠木構造５の断面図を示し、図５（Ｂ）図は、通し笠木下地部材の垂下部の内面に垂下片が着装される笠木構造５の断面図を示している。
【００６８】
笠木構造５の構成は、実施例２で示した笠木構造２の構成と比べて、見付高さの高い笠木１４とされると共に、通し笠木下地部材７０の垂下部７１が長くされ、各々の壁と通し笠木下地部材の垂下部とがなす隙間１０９が高くされている点が異なっている。また、通気孔から笠木の内部と外部とが通気されるように、通し笠木下地部材７０の水平部４１と垂下部７１と、各々の壁１０２，１０３とがなす隙間１０９には止水処理がされていない。しかし、前記隙間が高くされているため、強風により雨水が外壁に沿って吹き上げられても、通気孔から笠木内部に水が浸入されにくい。
【００６９】
通し笠木下地部材の垂下部７１は、笠木の垂設部１６との間に隙間７２ができるように、傾斜面部７３と垂直部７４とを有し、前記隙間７２に対向される傾斜面部７３に複数の通気孔４６が備えられる。傾斜面部７３に形成された通気孔４６からは、空気が笠木の垂設部１６の内面に向けて流入される（図５（Ａ）図白抜き矢印参照）。仮に、通気された空気に水滴が含まれていても、水滴は笠木の垂設部１６に付着し、垂設部１６と垂下部７１の間に沿って下方に垂れ、笠木の水平部４１の上には上りにくい。仮に、水３００が水平部４１に上っても、実施例２で説明したように、第１立設片４２と第２立設片４３とにより堰き止められるため、建物内に水が入ることが防止される。これにより、止水性と通気性を両立させた笠木構造とすることができる。
【００７０】
笠木構造６の構成は、実施例２で示した笠木構造２の構成と比べて、各々の通し笠木下地部材４０の垂下部４５に、垂下片７５が着装されている点が異なっている（図５（Ｂ）図参照）。垂下部４５に垂下片７５が着装されることにより、見付高さの高い笠木１４が使用されなくても、各々の壁と垂設片７５とがなす隙間１１０が高くされ、笠木構造５（図５（Ａ）図参照）と同等の止水性を有する笠木構造とされる。
【実施例５】
【００７１】
実施例５では、外壁側は通気させず、パラペット壁側のみ通気させる笠木構造７を、図６を参照して説明する。図６は、笠木構造７の断面図を示している。笠木構造７は、外壁の頂部に固定される通し笠木下地部材４０については、実施例２と同様に、水平部４１と垂下部４５と、外壁１０２とがなす隙間１０８に、バックアップ材２００と樹脂剤２１０による止水処理がされている。
【００７２】
一方、パラペット壁１０２の頂部に固定される通し笠木下地部材７０は、垂下部７１の長さを長くさせると共に、前記隙間１０９に止水処理がされていない。また、笠木１７は、外壁１０３側の垂設部１２の長さが短く、パラペット壁１０２側の垂設部１６が長くされている。これにより、強い風雨に晒されやすい外壁側については、止水笠木として機能されると共に、強い風雨に直接晒されにくいパラペット壁側については、通気笠木として機能される笠木構造とすることができる。
【実施例６】
【００７３】
実施例６では、通し笠木下地部材８０の垂下部に突出片を備えさせた笠木構造８及び笠木構造９を、図７を参照して説明する。図７（Ａ）図は、突出片に接着防止処理がされた笠木構造８の断面図を示し、図７（Ｂ）図は、発光体を有する笠木構造９の断面図を示している。
【００７４】
笠木構造８の構成は、各々の通し笠木下地部材８０の垂下部８１に突出片８２が備えられる点と、バックアップ材が不要である点以外は、実施例２で示した笠木構造２と同一の構成とされている。突出片８２の下面には、接着防止テープ８３の貼着により接着防止処理がされ、接着防止テープ８３の上に樹脂剤８４が注入され、垂下部８１の内面と、各々の壁の外側垂直面とを二面接着させている。これにより、笠木が太陽光により高温となり熱膨張されても、樹脂剤８４が笠木の膨張に追従されやすく、良好な止水シールとすることができる。
【００７５】
笠木構造９の構成は、笠木構造８の外壁側の突出片８２について、接着防止テープと樹脂剤による止水シールがされる代わりに、突出片８２の下面に壁面を照射させる発光体８５を備えさせている。突出片が備えられることにより、建物の笠木沿いに容易に発光体８５を装着させることができるため、夜間に建物のパラペットの輪郭を浮かび上がらせるような装飾を備えさせることができる。
【００７６】
（その他）
・本実施例に示された笠木構造をなす各部材の寸法・形状・板厚・材質・配置間隔等や、壁と通し笠木下地部材との隙間の広さは、例示であって、これに限定されないことは勿論のことである。ジョイント具の溝の本数、形態等は、実施例２で示した形態に限定されないことは勿論のことである。
・また、笠木構造が適用される並んだ壁は、パラペット部の壁と外壁に限定されないことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００７７】
１，２，３，４，５，６，７，８，９…笠木構造、
１０…笠木、２０，４０，７０，８０…通し笠木下地部材、５０…ジョイント具、
３０，３８…笠木下地連結部材、
１１…笠木水平部、１２…垂設部、１３…爪部、１４…笠木、
１５…笠木、１６…垂設部、１７…笠木、
２１…水平部、２２…垂下部、２３…接面、２４…第１立設片、
２５…ビス孔、２６…ビス、２７…内方側端部、
３１…基部、３２…起立部、３３…保持片、３４，３５…ビス孔、
３６…弾性部材、３７…ビス、
４１…水平部、４２…第１立設片、４３…第２立設片、４４…溝部、４５…垂下部、
４６…通気孔、４７…長手方向端部、４８…切欠き部、４９…止水材、
５１…屈曲部、５２…第１溝、５３…第２溝、５４…第３溝、５５…止水材、５６…空隙、
６０…高さ調整部材、６１…スリット、６２…弾性部材、
７１…垂下部、７２…隙間、７３…傾斜面部、７４…垂直部、７５…垂下片、
８１…垂下部、８２…突出片、８３…接着防止テープ、８４…樹脂剤、８５…発光体、
１００…パラペット部、１０１…屋上床、１０２…パラペット壁、１０３…外壁、
１０４…山形鋼、１０５…ボルト、１０６…防水シート、１０７…隙間、
１０８，１０９，１１０…隙間、
２００…バックアップ材、２１０…樹脂剤、２２０…止水材、３００，３０１…水
【図１】
2020056210.tif 000003
【図２】
2020056210.tif 000004
【図３】
2020056210.tif 000005
【図４】
2020056210.tif 000006
【図５】
2020056210.tif 000007
【図６】
2020056210.tif 000008
【図７】
2020056210.tif 000009
【手続補正書】
【提出日】平成31年1月8日(2019.1.8)
【手続補正１】
【補正対象書類名】特許請求の範囲
【補正対象項目名】請求項１
【補正方法】変更
【補正の内容】
【請求項１】
並んだ壁の頂部を塞ぐ笠木構造であって、
笠木水平部と、前記笠木水平部の両端から垂下される垂設部とを有する笠木と、一対の通し笠木下地部材と、前記一対の通し笠木下地部材を繋ぐ笠木下地連結部材とからなり、
前記笠木の各々の垂設部の内面には、全長に亘って爪部が備えられ、
前記笠木下地連結部材は、並んだ壁に亘るように配設され、少なくともいずれかの壁の頂部に固定され、
各々の前記通し笠木下地部材が、水平部と垂下部とからなり、各々の壁に沿って長く延び、前記笠木下地連結部材を挟んで配列され、前記水平部の内方側端部が前記笠木下地連結部材に当接されて、予めいずれかの壁の頂部に、前記笠木下地連結部材と一体に固定され、
各々の水平部が、通気孔を有さないと共に、長手方向全長に亘って突出された第１立設片を有し、
各々の前記爪部が、前記垂下部に引っ掛けられ、前記通し笠木下地部材に前記笠木が固定された状態で、前記爪部と前記垂下部との隙間から浸入した水が、第１立設片から内方に浸入しないようにされている、
ことを特徴とする笠木構造。
【手続補正２】
【補正対象書類名】特許請求の範囲
【補正対象項目名】請求項３
【補正方法】変更
【補正の内容】
【請求項３】
各々の前記通し笠木下地部材の水平部が、第１立設片よりも外方に、長手方向全長に亘って延びる第２立設片を有し、
第１の立設片と第２立設片との間が通気孔のない溝部とされ、前記笠木の内部に水が浸入した場合であっても、前記通し笠木下地部材の長手方向の端部まで、浸入した水を前記溝部に沿って案内させて排水させる排水溝をなしている、
ことを特徴とする請求項１又は請求項２に記載の笠木構造。
【手続補正３】
【補正対象書類名】明細書
【補正対象項目名】００１５
【補正方法】変更
【補正の内容】
【００１５】
本発明の第１の発明の笠木構造は、並んだ壁の頂部を塞ぐ笠木構造であって、笠木水平部と、前記笠木水平部の両端から垂下される垂設部とを有する笠木と、一対の通し笠木下地部材と、前記一対の通し笠木下地部材を繋ぐ笠木下地連結部材とからなり、前記笠木の各々の垂設部の内面には、全長に亘って爪部が備えられ、前記笠木下地連結部材は、並んだ壁に亘るように配設され、少なくともいずれかの壁の頂部に固定され、各々の前記通し笠木下地部材が、水平部と垂下部とからなり、各々の壁に沿って長く延び、前記笠木下地連結部材を挟んで配列され、前記水平部の内方側端部が前記笠木下地連結部材に当接されて、予めいずれかの壁の頂部に、前記笠木下地連結部材と一体に固定され、各々の水平部が、通気孔を有さないと共に、長手方向全長に亘って突出された第１立設片を有し、各々の前記爪部が、前記垂下部に引っ掛けられ、前記通し笠木下地部材に前記笠木が固定された状態で、前記爪部と前記垂下部との隙間から浸入した水が、第１立設片から内方に浸入しないようにされていることを特徴としている。
【手続補正４】
【補正対象書類名】明細書
【補正対象項目名】００２４
【補正方法】変更
【補正の内容】
【００２４】
本発明の第３の発明は、第１又は第２の発明の笠木構造であって、各々の前記通し笠木下地部材の水平部が、第１立設片よりも外方に、長手方向全長に亘って延びる第２立設片を有し、第１の立設片と第２立設片との間が通気孔のない溝部とされ、前記笠木の内部に水が浸入した場合であっても、前記通し笠木下地部材の長手方向の端部まで、浸入した水を前記溝部に沿って案内させて排水させる排水溝をなしていることを特徴としている。
【手続補正書】
【提出日】平成31年3月25日(2019.3.25)
【手続補正１】
【補正対象書類名】特許請求の範囲
【補正対象項目名】請求項１
【補正方法】変更
【補正の内容】
【請求項１】
並んだ壁の頂部を塞ぐ笠木構造であって、
笠木水平部と、前記笠木水平部の両端から垂下される垂設部とを有する笠木と、一対の通し笠木下地部材と、前記一対の通し笠木下地部材を繋ぐ笠木下地連結部材とからなり、
前記笠木の各々の垂設部の内面には、全長に亘って爪部が備えられ、
前記笠木下地連結部材は、並んだ壁に亘るように配設され、少なくともいずれかの壁の頂部に螺合固定され、
各々の前記通し笠木下地部材が、水平部と垂下部とからなり、前記水平部と前記垂下部のいずれもが、隣り合う笠木と笠木の突合せ隙間を除く長さとされ、各々の壁に沿って長く延び、前記笠木下地連結部材を挟んで配列され、各々の前記水平部が、通気孔を有さないと共に、長手方向全長に亘って上方に突出された第１立設片を有し、
前記水平部の内方側端部が、前記笠木下地連結部材に当接されて、各々の前記通し笠木下地部材と前記笠木下地連結部材とが一体とされ、前記通し笠木下地部材と前記笠木下地連結部材とのいずれもが、予めいずれかの壁の頂部に一体に螺合固定された状態で、
各々の前記爪部が、前記垂下部に引っ掛けられ、
前記通し笠木下地部材に前記笠木が固定された状態で、前記爪部と前記垂下部との隙間から浸入した水が、第１立設片から内方に浸入しないようにされている、
ことを特徴とする笠木構造。
【手続補正２】
【補正対象書類名】明細書
【補正対象項目名】００１５
【補正方法】変更
【補正の内容】
【００１５】
本発明の第１の発明の笠木構造は、並んだ壁の頂部を塞ぐ笠木構造であって、笠木水平部と、前記笠木水平部の両端から垂下される垂設部とを有する笠木と、一対の通し笠木下地部材と、前記一対の通し笠木下地部材を繋ぐ笠木下地連結部材とからなり、前記笠木の各々の垂設部の内面には、全長に亘って爪部が備えられ、前記笠木下地連結部材は、並んだ壁に亘るように配設され、少なくともいずれかの壁の頂部に螺合固定され、各々の前記通し笠木下地部材が、水平部と垂下部とからなり、前記水平部と前記垂下部のいずれもが、隣り合う笠木と笠木の突合せ隙間を除く長さとされ、各々の壁に沿って長く延び、前記笠木下地連結部材を挟んで配列され、各々の前記水平部が、通気孔を有さないと共に、長手方向全長に亘って上方に突出された第１立設片を有し、前記水平部の内方側端部が、前記笠木下地連結部材に当接されて、各々の前記通し笠木下地部材と前記笠木下地連結部材とが一体とされ、前記通し笠木下地部材と前記笠木下地連結部材とのいずれもが、予めいずれかの壁の頂部に一体に螺合固定された状態で、各々の前記爪部が、前記垂下部に引っ掛けられ、前記通し笠木下地部材に前記笠木が固定された状態で、前記爪部と前記垂下部との隙間から浸入した水が、第１立設片から内方に浸入しないようにされていることを特徴としている。